(57)【特許請求の範囲】
【請求項１】
容器本体と二分割してなる蓋とからなり、蓋を容器本体の対向する側壁上部に回動自在に取り付けてなる合成樹脂製容器において、容器本体の上部外面と蓋に突設した内向きの突起とが係合する第１ロック部と、一方の蓋の両側端に側端縁と平行であって内外方向に起倒自在であり、先端部が突き合わせ面よりも突出したロック板と、他方の蓋の両側端には前記ロック板の先端部を挿入する隙間と挿入したロック板を係止するストッパー片を形成してなる切欠部とからなる第２ロック部とを有することを特徴とする蓋付合成樹脂製容器。
【請求項２】
前記第２ロック部は、ロック板を蓋の両側端に設けた切欠部に、上方を外側に傾斜させて下端部の一部を固定し、先端部を突き合わせ面よりも突出させてなるとともに、他方の蓋の両側端に切欠部を設け、前記切欠部の上面内側に前記ロック板を起立した状態で挿入する隙間を有するようにロック板を係止するストッパー片を形成してなることを特徴とする請求項１記載の蓋付合成樹脂製容器。
【請求項３】
平面方形状の容器本体と二分割してなる蓋とからなり、蓋を容器本体の対向する側壁上部に回動自在に取り付けてなる合成樹脂製容器において、容器本体の上部外面と蓋に突設した内向き突起とが係合する第１ロック部と、容器本体の側面上部に下端部を固定し上部をフリーな状態として対称に配設した一対のフックからなるロック片と、前記フックの先端部を係止するように２つの蓋の側端にそれぞれ設けた係止リブとからなる第２ロック部とを有することを特徴とする蓋付合成樹脂製容器。
【請求項４】
前記ロック片はフックを略Ｖ字状に配設することによって形成され、二分割してなる蓋に設けた係止リブがそれぞれ対応するフックと係止することを特徴とする請求項３に記載の蓋付合成樹脂製容器。
【発明の詳細な説明】
【０００１】
【発明の属する技術分野】
この発明は周側壁と蓋を備えた蓋付合成樹脂製容器に係り、詳しくは周側壁上端に連設した蓋のロック構造に関する。
【０００２】
【従来の技術】
従来、醤油、清涼飲料、化学薬品、調味料等の輸送、販売には、これらの液体を合成樹脂製の密閉袋に充填し、前記密閉袋をダンボール箱等に収納し、前記密閉袋に注出口栓を取り付けてなる液体販売用容器、いわゆるバッグインボックスが広く使用されている。このようなバッグインボックスは輸送コストの低減と、容器の取り扱いの簡便性等から上記のような液体の輸送用容器として普及している。従来のバッグインボックスは、ダンボール箱等に液体を充填し、抽出口栓を取り付けてなる合成樹脂製袋を収納し、内溶液を注出するには箱の側面に穿設した穴から前記合成樹脂製袋に形成してなる注出口にコックを取り付け、このコックの開閉によって注出するように構成されている。
【０００３】
これらのバッグインボックスには、ダンボール箱の他に、蓋付きのボックス型合成樹脂製容器が使用されている。このような蓋付きのボックス型合成樹脂製箱の一例を示せば、図９及び図１０に示すように、容器本体１の側壁上端部に二分割した大きさの蓋２ａと蓋２ｂをそれぞれ蝶番３により回動自在に取り付けてなる。そして、容器本体１は、上部開口部に向かって外側に傾斜した側壁４の下部に底壁５を形成し、側壁４の上端部は水平な周縁６に下向きのフランジ７を設けて断面略コ字状嵌合部８を形成してなる。このように側壁上部をコ字状の嵌合部８と形成することによって堅牢な構造とすることができる。
【０００４】
一方、前記蓋２ａと蓋２ｂの前記嵌合部８と接合する接合面の端縁には、垂直な周縁９を設けるとともに、前記２ａと蓋２ｂの接合面近傍の周縁９の下端に内向きに突設した突起１０によりロック部１１を形成してなる。容器本体１に蓋２ａと蓋２ｂを嵌合するには、蓋２ａと蓋２ｂを蝶番３を中心にしてそれぞれ回動させながら前記周縁９内に嵌合部８を挿入するとともに、下向きフランジ７の下面に内向き突起１０を係止させればよい。下向きのフランジ７に突起１０が係止することによって前記蓋２ａと蓋２ｂは本体１にロックされる。
【０００５】
図１１は、容器本体と蓋とのロック構造の他の例を示すもので、容器本体１の上端部に下部フランジ１２と上部フランジ１３を突設して嵌合部１４を形成する。一方、蓋２ｃは、蓋板１５を下向きのＵ字状嵌合枠１６の内枠中断に連結するとともに、前記嵌合枠１６の外枠に内向きに突設した突起１７によりロック部１８を形成してなる。容器本体１に蓋２ｃを嵌合するには、蓋２ｃを押圧して前記嵌合枠１６に嵌合部１４を挿入し、下部フランジ１２の下面に前記内向きの突起１７を係止させればよい。下部フランジ１２に内向き突起１７が係止することによって前記蓋２ｃは容器本体１にロックされる。
【０００６】
【発明が解決しようとする課題】
上記のような容器本体と蓋とのロック構造においては、次のような問題がある。即ち、図１０に示すようなロック構造においては、蓋を閉じるときはロック部において強く押圧しなければならず、また、開けるときは指の引っかかりが悪く開け難い。また、ロック部１１をなす内向き突起１０が破損したり、弾性力が低下するとロック機能を果たし得なくなる。図１１に示すロック構造においても、図１０の構造に比べて突起１７は外枠下端より下方に突設しているために指の引っかかりはよいものの、弾性力の低下によってロック機能は果たし得なくなる。さらに、上記いずれの場合にもロック部は一カ所にしか設けられていないから、落下等の衝撃によりロック状態が解除されるおそれがある。落下等の衝撃によってロックを解除されないようにするには、内向き突起１０及び１１を大きくすればよいが、前記内向き突起を大きくすると、それだけ蓋を閉じたり開けたりすることが困難になる。
【０００７】
【発明の目的】
この発明はかかる現況に鑑みてなされたもので、蓋を閉じるときは容易に嵌合させることができるとともに、蓋を開くときも容易に開くことができ、しかも蓋を閉じた状態では確実に蓋をロックすることができる蓋付合成樹脂製容器を提供するものである。
【０００８】
【課題を解決するための手段】
この発明は上記目的を達成するために次のような構成とした。即ち、この発明にかかる蓋付合成樹脂製容器は、容器本体と二分割してなる蓋とからなり、蓋を容器本体の対向する側壁上部に回動自在に取り付けてなる合成樹脂製容器において、容器本体の上部外面と蓋に突設した内向き突起とが係合する第１ロック部と、一方の蓋の両側端に側端縁と平行であって内外方向に起倒自在であり、先端部が突き合わせ面よりも突出したロック板と、他方の蓋の両側端には前記ロック板の先端部を挿入する隙間と挿入したロック板を係止するストッパー片を形成してなる切欠部とからなる第２ロック部とを有することを特徴とする。前記第２ロック部は、ロック板を蓋の両側端に設けた切欠部に、上方を外側に傾斜させて下端部の一部を連結し、先端部を突き合わせ面よりも突出させてなるとともに、他方の蓋の両側端に切欠部を設け、前記切欠部の上面内側に前記ロック板を起立した状態で挿入する隙間を有するようにロック板を係止するストッパー片を形成してなるように形成してもよい。
【０００９】
また、この発明にかかる蓋付合成樹脂製容器は、平面方形状の容器本体と二分割してなる蓋とからなり、蓋を容器本体の対向する側壁上部に回動自在に取り付けてなる合成樹脂製容器において、容器本体の上部外面と蓋に突設した内向き突起とが係合する第１ロック部と、容器本体の側面上部に下端部を固定し上部をフリーな状態として対称に配設した一対のフックからなるロック片と、前記フックの先端部を係止するように２つの蓋の側端にそれぞれ設けた係止リブとからなる第２ロック部とを有することを特徴とする。前記ロック片はフックを略Ｖ字状に配設することによって形成され、二分割してなる蓋に設けた係止リブがそれぞれ対応するフックと係止するように形成してもよい。
【００１０】
【発明の実施の形態】
以下に、図示する実施形態について詳細に説明する。図１及び図２は、第１実施形における上面斜視図であって、図１は蓋を閉じた状態の斜視図、図２は一方の蓋を開いた状態の斜視図である。蓋付容器２０は、平面方形状の容器本体２１と二分割してなる蓋２２ａ、２２ｂとからなる。容器本体２０は、上部開口部に向かって外側に傾斜した側壁２３の下部に底壁を形成し、対向する側壁２３ａの上端部には水平な周縁２５に下向きのフランジ２７を設けて断面略コ字状の縁枠２９を形成してなる。このように側壁上部をコ字状に形成することによって、堅牢な構造とすることができる。また、前記縁枠２９に切欠部３０を設け、該切欠部３０に蝶番を構成する軸３１を水平に形成してなる。
【００１１】
さらに、前記容器本体２１の側壁２３ａに隣接する一対の側壁２３ｂの略中央部には縦方向に凹部３３を形成している。また、側壁２３ｂの上端部の外面には前記下向きフランジ２７の下面とほぼ同じ高さ位置に水平なフランジ３５を設けるとともに、前記凹部３３より外側には前記周縁２５よりも低くリブ３７を設けて前記縁枠２９と連結してなる。従って、凹部３３の範囲ではリブ３７が切り欠かれてフランジ３５まで凹んでおり、フランジ３５とリブ３７とが蓋２２ａ、２２ｂへの嵌合部３９となり、フランジ３５が後述する蓋の突起とともに第１ロック４０部を構成する。尚、前記側壁２３ｂの上部の構成において、嵌合部３９の構成は必ずしも上記実施形態に限定されるものではなく、例えば、縁枠２９と同様に下方に開口する断面コ字状に形成してもよい。この場合には、外側側壁の下端面が第１ロック４０部を構成する。
【００１２】
一方、蓋２２ａ、２２ｂは、前記軸３１を挿通する略半円弧状のホルダ４１を蓋板４３の側端に突設するとともに、隣接する両側には前記嵌合部３９を嵌合する嵌合溝４５を形成するとともに、第１ロック４０を構成する内向き突起４７を突設してなり、さらに、蓋２２ａ、２２ｂの対向面の側端縁には第２ロック部４９を形成してなる。前記略半円弧状ホルダ４１に軸３１を挿通することによって蝶番構造となり、軸３１を中心にして蓋２２ａ、２２ｂは回動自在となり、観音開きのように開閉することができる。前記嵌合溝４５は、蓋板４３から立ち上がった内壁４５ａと内壁４５ａから水平に延設した上壁４５ｂと上壁４５ｂから下方に延設した外壁４５ｃによって下方に開口した断面略コ字状に形成されており、前記フランジ３５の下面に係止するように、前記外壁の内面に突起４７が形成されている。前記突起４７が前記フランジ３５とともに第１ロック部４０を構成することになる。
【００１３】
また、前記凹部３３の上部には、蓋２２ａ、２２ｂの下面との間に指を挿入可能な隙間を形成するとともに、第１ロック部４０が衝突等によって不用意に解除されるのを防止する衝突防止板５０が設けられている。前記衝突防止板５０は、側板２３ｂから突出しており、凹部３３を跨ぐようにして突設されており、蓋２２ａ、２２ｂの外壁４５ｃの下面に衝突するのを防止する。一方、蓋２２ａ、２２ｂを開くときには、外壁４５ｃとの間に指を挿入して外壁４５ｃを外方に押し広げて突起４７とフランジ３５との係合状態を解除できるように構成されている。
【００１４】
次いで、第２ロック部４９の構成について説明すると、前記嵌合溝４５を構成する上壁４５ａと外壁４５ｃ上部の先端側を切り欠いて切欠部４８，４８ａを形成し、該切欠部４８、４８ａにそれぞれ水平な段板５１を設ける。さらに、蓋２２ａ側には、前記段板５１にロック板５３が固定されている。ロック板５３は、下端部が内壁４５ａ側において連結しており、上端部が上壁４５ｂと外壁４５ｃとの角部に近接するように、上方が外側に向かって傾斜している。ロック板５３の下端部の一部が前記段板５１と連結しているとともに、先端部は前記蓋板４３の端面から突出している。従って、ロック板５３は、外側から水平方向に押圧することによって垂直に立ち上がり、押圧を解除すると元の状態に復帰するようにバネ作用を備えている。
【００１５】
一方、蓋２２ｂ側においては、切欠部４８ａに上壁４５ａと外壁４５ｃの一部を延長してストッパー片５５を設けてなる。前記ストッパー片５５の先端と内壁４５ａとの間には、前記ロック板５３の先端部を起立した状態で挿通する隙間５７が設けられている。即ち、隙間５７はロック板５３の下端部を挿入可能な大きさであって、ストッパー片５５がロック板５３の上端部を係止するように形成されている。従って、蓋２２ｂに対して蓋２２ａを回動させながら突き合わせると、まず、ロック板５３の突出した部分の下端部が前記隙間５７に挿入され、さらに蓋２２ａを押し下げると傾斜したロック板５３の側面がストッパー片５５の先端に当接することによって次第に起立しながら挿入される。そして、ロック板５３の全部を切欠部４８ａ内に挿入すると、ロック板５３はバネ作用によって外方に復帰し、前記ストッパー片５５の下面に係止する（図３及び図４参照）。
【００１６】
ロック板５３がストッパー片５５に係止することによってロック状態となり、蓋２２ａ、２２ｂは一体に結合されることになる。従って、第１ロック部４０が解除され、あるいは破損した場合でも前記第２ロック部４９によって閉蓋状態が保持される。また反対に、第２ロック部４９が解除され、あるいは破損した場合でも、第１ロック部によって閉蓋状態が保持される。このように、この発明では、２つのロック部を設けたので、何れか一方のロック部がロック作用を果たし得なくなった場合でも確実に閉蓋状態を保持することができる。
【００１７】
次に、図７及び図８に基づいて第２ロック部の第２実施形態について説明する。容器本体２１の側壁２３ｂにおいては、凹部３３の略中央部におけるフランジ３５を切り欠いて形成した切欠部６０にＶ字状ロック片６１を配設してなる。前記Ｖ字状ロック片６１は、フック６３の下端部６５を側壁２３ｂに一体に固定してなる。フック６３の上部はフリーな状態となってフランジ３５よりも上方に突出して前記切欠部６０内に配設されている。従って、前記フック６３は、両側から挟み込むように押圧すると互いに接近し、押圧を解除するとバネ作用によって元の状態に復帰する。
【００１８】
一方、蓋２２ａ、２２ｂ側においては、側面の嵌合溝４５を切り欠くことなく突き合わせ面まで延設してなり、内壁４５ａと外壁４５ｃとの間に前記フック６３の先端部を係止する係止リブ６７を設けてなる。前記Ｖ字状ロック片６１と係止リブ６７とによって第２ロック部を構成する。この実施形態においては、蓋２２ａ、２２ｂは同一構成であるから、同時に閉じることができる。即ち、蓋２２ａ、２２ｂを降ろして行くと係止リブ６７がフック６３の先端部に当たり、さらに降ろしていくと係止リブ６７によってフックの先端部が互いに接近するように閉じられ、嵌合溝４５に嵌合部３９が嵌合すると同時に、フック６３はバネ作用によって復帰し、リブ６７とフック６３の先端部とが係止することによって一体にロックされる。尚、上記Ｖ字状ロック片６１は一体に連続形成した形状であるが、逆ハ字状に分割形成された形状であってもよい。
【００１９】
上記実施形態にかかる蓋付合成樹脂製容器の使用方法について説明する。第１実施形態においては、蓋を閉じる場合は、軸３１を中心にして回動させ、まず蓋２２ｂを降ろして嵌合部３９を嵌合溝４５に嵌合させる。嵌合部３９と嵌合溝４５が嵌合することによってフランジ３５の下面に突起４７が係止し、蓋２２ｂ側の第１ロック部が作用する。次いで、蓋２２ａを降ろして行くと、蓋２２ｂに対して突き合わされ、まず、ロック板５３の突出した部分の下端部が隙間５７に挿入され、ロック板５３の側面がストッパー片５５の先端に当接しながら次第に起立することによって挿入される。そして、ロック板５３の上端部が切欠部４８ａ内に挿入すると、ロック板５３はバネ作用によって外方に復帰し、前記ストッパー片５５の下面に係止する。このようにして、第２ロック部４９は蓋２２ａと蓋２２ｂとを一体にロックする。このとき同時に、蓋２２ａにおいても、嵌合部３９が嵌合溝４５に嵌合することによってフランジ３５に突起４７が係止して容器本体２１に固定し、第１ロック部が作用する。
【００２０】
また、蓋を開くときは、ロック板５３を内側に押圧して上端部を隙間５７に位置させ、次いで、蓋２２ａの外壁４５ｃの突起４７を突設してなる部分を外側に押し広げてフランジ３５と突起４７との係止状態を解除させ、そのまま蓋２２ａを押し上げればよい。その後、蓋２２ｂ側において外壁４５ｃの突起４７を突設してなる部分を外側に押し広げてフランジ３５と突起４７との係止状態を解除させ、そのまま蓋２２ｂを押し上げればよい。
【００２１】
一方、第２実施形態においては、蓋２２ａ、２２ｂを同時に、あるいは何れか一方から降ろして容器本体２１に押圧すればよい。フック６３の先端部にリブ６７が当接することによって内側に押し曲げ、リブ６７がフック６３の先端部を通過すると同時にフック６３が復帰してリブ６７と一体にロックする。フックの先端部とリブ６７とが係止して第２ロックが作用すると同時に、嵌合部３９が嵌合溝４５に嵌合することによってフランジ３５に突起４７が係止して容器本体２１に蓋２２ａ、２２ｂを固定し、第１ロック部が作用する。
【００２２】
蓋を開くときには、Ｖ字状ロック片６１を挟み込むようにするか、一方側を押してリブ６７とフック６３との係合を解除しながら、蓋２２ａ、２２ｂの何れか一方の外壁４５ｃの突起４７を突設してなる部分を外側に押し広げてフランジ３５と突起４７との係止状態を解除させ、そのまま蓋２２ａまたは２２ｂを押し上げればよい。
【００２３】
【発明の効果】
この発明に蓋付合成樹脂製容器は、２つのロック部を有するから、確実に閉蓋状態を保持することができ、落下等の衝撃を受けてもロックが解除されて蓋が開けられるということがない。また、ロック部を２つ備えていることから、一方が破損したり、弾性力がなくなりロック作用を果たし得なくなっても充分閉蓋状態を維持することができる。一方、蓋を開けるときは簡単な操作で開けることができ、バッグインボックスのような容器として有利である。
【図面の簡単な説明】
【図１】蓋を閉じた状態の斜視図である。
【図２】一方の蓋を開いた状態の斜視図である。
【図３】ロック部の構成を示す要部斜視図である。
【図４】同じくロック部の要部断面図である。
【図５】蓋の取り付け部の蝶番構造を示す要部断面図である。
【図６】蓋を閉じる状態の説明図である。
【図７】第２実施形態のロック部の構成を示す要部斜視図である。
【図８】同じく蓋を閉じる状態の一部を切り欠いた説明図である。
【図９】従来のバッグインボックスを示す斜視図である。
【図１０】同じく断面図である。
【図１１】蓋と容器本体との嵌合を示す他の従来例の要部断面図である。
【符号の説明】
２０  蓋付容器
２１  容器本体
２２ａ、２２ｂ  蓋
２３、２３ａ、２３ｂ  側壁
２５  周縁
２７  フランジ
２９  縁枠
３０  切欠部
３１  軸
３３  凹部
３５ａ  下部フランジ
３５  フランジ
３７  リブ
３９  嵌合部
４０  第１ロック部
４１  ホルダ
４３  蓋板
４５  嵌合溝
４５ａ  内壁
４５ｂ  上壁
４５ｃ  外壁
４７  突起
４９  第２ロック部
５０  衝突防止板
５１  段板
５３  ロック板
５３ａ  ロック板の先端部
５５  ストッパー片
５７  隙間
６０  切欠部
６１  Ｖ字状ロック片
６３  フック
６５  下端部
６７  リブ
【図１】
0004349534.tif 000002
【図２】
0004349534.tif 000003
【図３】
0004349534.tif 000004
【図４】
0004349534.tif 000005
【図５】
0004349534.tif 000006
【図６】
0004349534.tif 000007
【図７】
0004349534.tif 000008
【図８】
0004349534.tif 000009
【図９】
0004349534.tif 000010
【図１０】
0004349534.tif 000011
【図１１】
0004349534.tif 000012